(57)【要約】【課題】本開示は、専用の機材等を要することなく、ブレ等のない動画像を撮像可能な撮像装置を提供する。【解決手段】デジタルカメラ１００は、動画像を撮像し、４Ｋ動画像データを生成するＣＣＤ１４０、ＡＤＣ１５０、及び画像処理部１６０（撮像部）と、４Ｋ動画像データが示す動画像の全領域Ａ０のうちの一部の領域を切り出した切り出し領域Ａｚに基づいて切り出し動画像データを生成し、生成した切り出し動画像データをメモリカード２００に記録するコントローラ１８０と、を備える。コントローラ１８０は、ユーザの所定の指示に従って切り出し領域Ａｚを移動させながら生成した第２動画像データをメモリカード２００に記録する。コントローラ１８０は、切り出し領域Ａｚの移動の一時停止指示を受け付けると、切り出し領域の移動を停止させて、第２動画像データの生成及び記録を継続する。【選択図】図１
2016028539.tif 000002
【特許請求の範囲】
【請求項１】
動画像を撮像し、第１動画像データを生成する撮像部と、
前記第１動画像データが示す動画像の全領域のうちの一部の領域を切り出した切り出し領域に基づいて第２動画像データを生成し、生成した第２動画像データを記録媒体に記録する制御部と、
前記切り出し領域の移動の一時停止指示を受け付ける入力部と、を備え、
前記制御部は、
ユーザの所定の指示に従って前記切り出し領域を移動させながら生成した第２動画像データを前記記録媒体に記録し、
前記入力部が前記一時停止指示を受け付けると、前記切り出し領域の移動を停止させて、前記第２動画像データの生成及び記録を継続する、
撮像装置。
【請求項２】
前記切り出し領域の移動に関する指示を受け付ける第２入力部をさらに備え、
前記切り出し領域の移動に関する指示は、移動の始点、移動の終点、移動方向、移動速度、移動速度の変化態様、及び移動経路のうちの少なくとも一つに関する指示を含む、
請求項１記載の撮像装置。
【請求項３】
動画像を撮像し、第１動画像データを生成する撮像部と、
前記第１動画像データが示す動画像の全領域のうちの一部の領域を切り出した切り出し領域に基づいて第２動画像データを生成し、生成した第２動画像データを記録媒体に記録する制御部と、
ズームの一時停止指示を受け付ける入力部と、を備え、
前記制御部は、
ユーザの所定の指示に従って前記切り出し領域の大きさを変化させながら生成した第２動画像データを前記記録媒体に記録し、
前記入力部が前記一時停止指示を受け付けると、前記切り出し領域の拡大または縮小を停止させて、前記第２動画像データの生成及び記録を継続する、
撮像装置。
【請求項４】
ズームに関する指示を受け付ける第２入力部をさらに備え、
前記ズームに関する指示は、前記切り出し領域の拡大または縮小の中心点、前記切り出し領域の拡大または縮小の方向、前記切り出し領域の拡大または縮小の速度、及び前記切り出し領域の拡大または縮小速度の変化態様のうちの少なくとも一つに関する指示を含む、
請求項３記載の撮像装置。
【発明の詳細な説明】
【技術分野】
【０００１】
動画像を撮像可能な撮像装置に関する。
【背景技術】
【０００２】
動画像を撮像可能な撮像装置として、例えば特許文献１に記載のものがある。
【先行技術文献】
【特許文献】
【０００３】
【特許文献１】特開２０１２−５４９２０号公報
【発明の概要】
【発明が解決しようとする課題】
【０００４】
パン画像やチルト画像等の動画像を撮像する場合、撮像装置をパンニングやチルティングさせるための専用の機材が必要であった。
【０００５】
本開示は、専用の機材を要することなく、パン画像やチルト画像等の動画像を撮像可能な撮像装置を提供する。
【課題を解決するための手段】
【０００６】
本開示の撮像装置は、動画像を撮像し、第１動画像データを生成する撮像部と、第１動画像データが示す動画像の全領域のうちの一部の領域を切り出した切り出し領域に基づいて第２動画像データを生成し、生成した第２動画像データを記録媒体に記録する制御部と、を備える。制御部は、ユーザの所定の指示に従って切り出し領域の位置及び／または大きさを変化させて、記録媒体に記録する。
【発明の効果】
【０００７】
本発明によれば、撮像部で生成された第１動画像データが示す画像の全領域のうちの一部の領域（切り出し領域）の動画像が切り出されて第２動画像データが生成され、生成された第２動画像データが記録媒体に記録される。その際、ユーザの所定の指示に従って切り出し領域の位置や大きさを変化させて、記録媒体に記録される。そのため、撮像装置をパンニングやチルティングさせたのと同様の画像が得られる。したがって、専用の機材を要することなく、パン画像やチルト画像等の動画像データを取得することができる。
【図面の簡単な説明】
【０００８】
【図１】実施の形態１に係るデジタルカメラの構成を示すブロック図
【図２】デジタルカメラの背面図
【図３】切り出し動画モードの概要を説明するための図
【図４Ａ】切り出し動画像を撮影する手順を示すフローチャート
【図４Ｂ】切り出し動画像を撮影する際の設定画面例を示す図
【図５Ａ】パンニング切り出しの一例を説明する図
【図５Ｂ】パンニング切り出しによる夜景撮影時の効果を説明する図
【図６】チルティング切り出しの一例を説明する図
【図７】指定中心ズーム切り出しの一例を説明する図
【図８】始点・終点指定パンニング・チルティング切り出しの一例を説明する図
【図９】移動経路指定切り出しの一例を説明する図
【図１０】被写体追尾切り出しの一例を説明する図
【図１１】１ポイントＡＦ指定エリア切り出しの一例を説明する図
【図１２】切り出し中心位置の設定の制限を説明する図
【図１３】顔検出パンニング・チルティング切り出しの一例を説明する図
【図１４】顔検出ズーム切り出しの一例を説明する図
【図１５】追尾方法自動切替切り出しの一例を説明する図
【図１６】追尾実行時のコントローラの学習を説明する図
【図１７】自動追尾の実行時にロストが発生した後、マニュアル追尾に切り替わる様子を説明する図
【図１８】被写体大きさ変化追従追尾切り出しの一例を説明する図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１０】
以下、図面を用いて、ＣＣＤ（撮像素子）を備えるデジタルカメラ（撮像装置）を一例として、実施の形態を説明する。
【００１１】
［１．実施の形態１］
１．デジタルカメラ（撮像装置）の構成
まず、本実施の形態１に係るデジタルカメラの電気的構成例について図１を用いて説明する。図１は、デジタルカメラ１００の構成を示すブロック図である。デジタルカメラ１００は、１又は複数のレンズからなる光学系１１０により形成された被写体像をＣＣＤ１４０で撮像する撮像装置である。
【００１２】
ＣＣＤ１４０で生成された画像データは、画像処理部１６０で各種処理が施され、メモリカード２００に格納される。以下、デジタルカメラ１００の構成を詳細に説明する。
【００１３】
光学系１１０は、ズームレンズやフォーカスレンズにより構成される。ズームレンズを光軸に沿って移動させることにより、被写体像の拡大、又は縮小をすることができる。また、フォーカスレンズを光軸に沿って移動させることにより、被写体像のピントを調整することができる。
【００１４】
レンズ駆動部１２０は、光学系１１０に含まれる各種レンズを駆動させる。レンズ駆動部１２０は、例えばズームレンズを駆動するズームモータや、フォーカスレンズを駆動するフォーカスモータを含む。
【００１５】
絞り部３００は、ユーザの設定に応じて又は自動で、光の開口部の大きさを調整し、透過する光の量を調整する。
【００１６】
シャッタ１３０は、ＣＣＤ１４０に透過させる光を遮光するための手段である。
【００１７】
ＣＣＤ１４０は、光学系１１０で形成された被写体像を撮像して、画像データを生成する。ＣＣＤ１４０は、カラーフィルタと、受光素子と、ＡＧＣ（Ａｕｔｏ  Ｇａｉｎ  Ｃｏｎｔｒｏｌｌｅｒ）を含む。受光素子は、交換レンズ１０１によって集光された光学的信号を電気信号に変換し、画像情報を生成する。ＡＧＣは、受光素子から出力された電気信号を増幅する。ＣＣＤ１４０はさらに、露光、転送、電子シャッタなどの各種動作を行うための駆動回路等を含む。
【００１８】
ＡＤＣ（Ａ／Ｄコンバータ：アナログ―デジタル変換器）１５０は、ＣＣＤ１４０で生成されたアナログ画像データをデジタル画像データに変換する。
【００１９】
画像処理部１６０は、ＣＣＤ１４０で生成され、変換されたデジタル画像データに対して、コントローラ１８０の制御を受け、各種処理を施す。画像処理部１６０は、表示モニタ２２０に表示するための画像データを生成したり、メモリカード２００に格納するための画像データを生成したりする。例えば、画像処理部１６０は、ＣＣＤ１４０で生成された画像データに対して、ガンマ補正、ホワイトバランス補正、傷補正などの各種処理を行う。また、画像処理部１６０は、ＣＣＤ１４０で生成された画像データを、Ｈ．２６４規格やＭＰＥＧ２規格に準拠した圧縮形式等により圧縮する。画像処理部１６０は、ＤＳＰ（Ｄｉｇｉｔａｌ  Ｓｉｇｎａｌ  Ｐｒｏｃｅｓｓｏｒ）やマイコンなどで実現可能である。また、画像処理部１６０は、ＣＣＤ１４０で生成された画像データに基づいて、画素数４０００×２０００前後の動画の画像データ、いわゆる４Ｋ動画の画像データ（以下、適宜「４Ｋ動画像データ」という）を生成することができる。また、画像処理部１６０は、生成した４Ｋ動画像データに対して後述する種々の処理を行うことができる。
【００２０】
コントローラ１８０は、デジタルカメラ１００の全体を制御する制御手段である。コントローラ１８０は、半導体素子などで実現可能である。コントローラ１８０は、ハードウェアのみで構成してもよいし、ハードウェアとソフトウェアとを組み合わせることにより実現してもよい。コントローラ１８０は、マイコン、ＣＰＵ、ＭＰＵ、ＡＳＩＣ、ＦＰＧＡなどで実現できる。
【００２１】
例えば、コントローラ１８０は、画像処理部１６０で生成された画像データが示す画像の中の動く被写体を検出して追尾する。コントローラ１８０は、被写体の追尾時、４Ｋ動画像データ内における被写体の位置を示す情報を取得する。
【００２２】
また、コントローラ１８０は、画像処理部１６０で生成された画像データが示す画像全体のコントラスト等に基づいて、光学系１１０の焦点を画像中に存在する被写体に合焦させるように、レンズ駆動部１２０を制御することが可能である。また、コントローラ１８０は、画像処理部１６０で生成された画像データが示す画像の中の一部の領域（切り出し領域）のコントラスト等に基づいて、光学系１１０の焦点を上記一部の領域（切り出し領域）中に存在する被写体に合焦させるように、レンズ駆動部１２０を制御することが可能である。
【００２３】
また、コントローラ１８０は、画像処理部１６０で生成された画像データが示す画像全体の輝度、画像中に存在する被写体の輝度、あるいは画像中の指定部分の輝度を検出し、検出した輝度に基づいて、撮像時の露光量を自動的に調節することが可能である。
【００２４】
バッファ１７０は、画像処理部１６０及びコントローラ１８０のワークメモリとして機能する。バッファ１７０は、例えば、ＤＲＡＭ（Ｄｙｎａｍｉｃ  Ｒａｎｄｏｍ  Ａｃｃｅｓｓ  Ｍｅｍｏｒｙ）、強誘電体メモリなどで実現できる。
【００２５】
カードスロット１９０は、メモリカード２００を着脱可能である。カードスロット１９０は、機械的及び電気的にメモリカード２００と接続可能である。
【００２６】
メモリカード２００は、フラッシュメモリや強誘電体メモリなどを内部に含み、画像処理部１６０で生成された画像ファイル等のデータを格納可能である。
【００２７】
内蔵メモリ２４０は、フラッシュメモリや強誘電体メモリなどで構成される。内蔵メモリ２４０は、デジタルカメラ１００全体を制御するための制御プログラム等を記憶している。
【００２８】
操作部材２１０は、ユーザからの操作を受け付けるユーザーインターフェースの総称である。操作部材２１０は、例えば、ユーザからの操作を受け付ける十字キーや決定釦等がこれにあたる。
【００２９】
表示モニタ２２０は、ＣＣＤ１４０で生成した画像データが示す画像（スルー画像）や、メモリカード２００から読み出した画像データが示す画像を表示可能である。また、表示モニタ２２０は、デジタルカメラ１００の各種設定を行うための各種メニュー画面等も表示可能である。
【００３０】
表示モニタ２２０は、ユーザのタッチ操作による指示を受付可能なタッチパネルである。表示モニタ２２０は、画面がタッチされると、タッチされた位置を示す信号をコントローラ１８０に出力する。このとき、コントローラ１８０は、タッチされた位置を示す信号に基づいて、デジタルカメラ１００の動作を制御する。
【００３１】
操作部材２１０は、デジタルカメラ１００の外装に備わっている操作釦や操作ダイヤルの総称であり、使用者によるデジタルカメラ１００に対する操作を受け付ける。例えば、操作部材２１０は、図２に示すように、レリーズ釦２１１、ズームレバー２１２、中央釦２１３、十字釦２１４などを含む。操作部材２１０はユーザによる操作を受け付けると、コントローラ１８０に種々の動作指示信号を送信する。
【００３２】
２．切り出し動画モードにおけるデジタルカメラの動作
デジタルカメラ１００は、撮像中、４Ｋ動画像データが示す動画像の全領域のうちの、一部の領域を切り出した切り出し領域に基づいて動画像データ（以下適宜「切り出し動画像データ」という）を生成し、生成した切り出し動画像データをメモリカード２００に記録する撮影モード（以下適宜「切り出し動画モード」という）を備えている。切り出し動画像データを生成することを、以下適宜「画像を切り出す」という。また、このようにして生成された動画像を以下適宜「切り出し動画像」という。
【００３３】
切り出し動画像データは、画素数１９２０×１０８０の動画像データ（以下適宜「２Ｋ動画像データ」という）である。すなわち、切り出し動画像は、画素数１９２０×１０８０のフルスペックハイビジョンと同じ解像度を有している。なお、２Ｋ動画像データは一般的には画素数２０００×１０００前後であればよいが、本実施例では画素数１９２０×１０８０であるとする。
【００３４】
切り出し動画モードにおいて、コントローラ１８０は、４Ｋ動画像データが示す４Ｋ動画像の中の切り出し領域内の画像を２Ｋ動画像データとして生成するように、画像処理部１６０を制御する。画像処理部１６０は、生成した２Ｋ動画像データを、Ｈ．２６４規格等にしたがって圧縮処理を施し、メモリカード２００に記録する。
【００３５】
画像処理部１６０は、４Ｋ動画像の中の切り出し領域の画素数が画素数１９２０×１０８０である場合、４Ｋ動画像データにおける切り出し領域部分の画像データを切り出すことにより、２Ｋ動画像データ（切り出し動画像データ）を生成する。
【００３６】
画像処理部１６０は、切り出し領域の画像の画素数が１９２０×１０８０よりも大きいときは、切り出し領域の画像データに対して間引処理を行って画素数１９２０×１０８０の画像データを生成する。これに対し、切り出し領域の画素数が１９２０×１０８０よりも小さいときは、画像処理部１６０は、切り出し領域の画像データに基づいて補間処理を行って画素数１９２０×１０８０の画像データを生成する。間引処理及び補間処理は、公知の方法を用いて行うことができる。
【００３７】
また、コントローラ１８０は、切り出し動画モードにおいて、切り出し領域内の画像のコントラスト等に基づいて、光学系１１０の焦点を、切り出し領域中に存在する被写体に合焦させるように、レンズ駆動部１２０を制御する。
【００３８】
また、コントローラ１８０は、切り出し動画モードにおいて、切り出し領域内の画像の輝度に基づいて、露光量を自動的に調節する。
【００３９】
図３は、切り出し動画モードの概要を説明するための図である。切り出し動画モードにおいて、コントローラ１８０は、図３（ａ）に示すように、表示モニタ２２０に、画像処理部１６０で生成された４Ｋ動画像データに重畳して切り出し領域Ａｚを示す枠Ｆｒを表示する。表示モニタ２２０は、４Ｋ動画像データが示す４Ｋ動画像の全領域Ａ０（以下適宜「４Ｋ動画像領域Ａ０」という）を表示する。なお、本例は、後述する１ポイントＡＦ指定エリア切り出しの例を示している。コントローラ１８０は、切り出し領域Ａｚ内の画像データに基づいて、図３（ｂ）に示すような、切り出し領域Ａｚ部分の２Ｋ動画像データ（切り出し動画像データ）を生成する。
【００４０】
次に、切り出し動画像の撮影の手順を説明する。図４Ａは、切り出し動画像を撮影する手順を示すフローチャートである。
【００４１】
まず、ユーザは、表示モニタ２２０の表示を確認しつつ、中央釦２１３及び十字釦２１４を操作して、撮影モードを切り出し動画モードに設定する（Ｓ１１）。これにより、コントローラ１８０は、中央釦２１３及び十字釦２１４を介して、撮影モードを切り出し動画モードに設定する指示を受け付ける。
【００４２】
ユーザは、表示モニタ２２０の表示を確認しつつ、中央釦２１３及び十字釦２１４を操作して、切り出し領域Ａｚの位置や範囲等に関する切り出し条件を設定する（Ｓ１２）。これにより、コントローラ１８０は、中央釦２１３及び十字釦２１４を介して、切り出し動画モードにおける切り出し条件に関する指示を受け付ける。切り出し条件の詳細については後述する。
【００４３】
ユーザは、レリーズ釦２１１を押下する。これにより、コントローラ１８０は、設定された切り出しパターンでの撮像を開始する（Ｓ１３）。コントローラ１８０は、撮像された４Ｋ動画像データから、切り出し領域Ａｚ部分の２Ｋ動画像データを生成し、生成した２Ｋ動画像データをメモリカード２００に記録する。
【００４４】
ユーザは、レリーズ釦２１１を再度押下する。これにより、コントローラ１８０は、設定された切り出しパターンでの切り出し動画像の撮像を終了する（Ｓ１４）。
【００４５】
図４Ｂは、図４ＡのＳ１１、Ｓ１２においてユーザが切り出し動画モードに設定する際、及び切り出し条件の設定をする際の表示モニタ２２０の表示例である。
【００４６】
ユーザは、メニュー画面から所定の項目を選択して図４Ｂ（ａ）に示す動画設定メニューを表示させる。動画設定メニューにおいて、４００で示す項目を選択することで、ユーザは切り出し動画モードを設定することができる（図４ＡのＳ１１）。ユーザが項目４００を選択すると、表示モニタ２２０には図４Ｂ（ｂ）に示す詳細設定画面を表示する。  詳細設定画面において、ユーザは４つの項目の設定を変更することが可能である。以下のそれぞれの具体例を示す。
【００４７】
項目４１０では、ユーザは切り出し動画像を記録する際の効果を設定することができる。デジタルカメラ１００は、切り出し動画像の効果として、パンニング切り出し、チルティング切り出し、ズーム切り出し、始点・終点指定パンニング・チルティング切り出し、移動経路指定切り出し、被写体追尾切り出し、１ポイントＡＦ指定エリア切り出し、顔検出パンニング・チルティング切り出し、顔検出ズーム切り出し、追尾方法自動切替切り出し、被写体大きさ変化追従追尾切り出しを有する。ユーザは、項目４１０の設定を変更することで上記の効果の内所望の効果を選択することができる。
【００４８】
項目４２０では、ユーザは上記効果を付与した際の切出し領域Ａｚの移動速度を設定することができる。本実施形態に係るデジタルカメラは、移動速度を５段階から設定可能である。即ち、ユーザは移動速度を１（低速）〜５（高速）の間で設定することができる。なお、移動速度の設定可能段階数は５段階に限らない。また、移動速度の選択肢として、移動開始時から終了時にかけて速度が変化するようなものを設けても構わない。例えば、切り出しの開始時よりも後の方が徐々に移動速度が遅くなる態様や、切り出しの開始時よりも後の方が徐々に移動速度が速くなる態様を設定可能としてもよい。なお、ユーザが効果として被写体追尾切り出し、追尾方法自動切替切り出し、被写体大きさ変化追従追尾切り出しを選択した際は、移動速度の設定は不要である。
【００４９】
項目４３０では、ユーザは項目４１０で設定した効果が終了した際に切り出し動画像の記録を自動的に終了するか否かを選択することができる。自動停止がＯＮに設定されると、デジタルカメラ１００は、効果が終了した際に切り出し動画像の記録を自動的に終了する。自動停止がＯＦＦに設定されると、デジタルカメラ１００は、効果が終了した後も切り出し動画像の記録を継続して行う。なお、項目４１０で効果として被写体追尾切り出し、１ポイントＡＦ指定エリア切り出し、追尾方法自動切替切り出し、被写体大きさ変化追従追尾切り出しが選択されている際は、自動停止の設定は不要である。
【００５０】
項目４４０では、ユーザは切り出し動画像を記録する際のフレームレートを設定することができる。本実施形態に係るデジタルカメラ１００において、ユーザはフレームレートを３０ｐ若しくは６０ｐから選択可能である。なお、フレームレートの選択肢はこれに限られない。
【００５１】
上述したように設定された切り出し動画像記録設定に従って、デジタルカメラ１００は切り出し動画像の記録を行う。以下に、切り出しパターン別にその詳細を説明する。
【００５２】
３．切り出しパターン
３−１．パンニング切り出し、チルティング切り出し
３−１−１．パンニング切り出し
図５Ａ（ａ）は、パンニング切り出しの一例を説明する図である。図５Ａ（ｂ）は、パンニング切り出しを行う際の操作手順例を示す図である。パンニング切り出しは、動画像の撮像中、切り出し領域Ａｚを４Ｋ動画像領域Ａ０内で水平方向に移動させながら、切り出し動画像（２Ｋ動画像）を生成する切り出しである。
【００５３】
切り出し領域Ａｚの垂直方向の位置は、任意の高さで設定可能である。図５Ａは、表示モニタ２２０の中央付近において切り出し領域がパンニングする場合を示している。また、切り出し領域Ａｚの移動方向（パンニングの方向）は、水平方向において右側から左側、または左側から右側に設定可能である。図５Ａ（ａ）は、移動方向（パンニングの方向）が、水平方向において左側から右側の場合を示している。
【００５４】
パンニング切り出しを行う場合、ユーザは、中央釦２１３及び十字釦２１４等の操作系を操作して、各種の指示をデジタルカメラ１００に対して行う。デジタルカメラ１００は、図５Ａ（ｂ）に示すように、ユーザ指示に従って各種の設定・制御を実行する。具体的には以下で説明する。
【００５５】
まずユーザは、切り出し動画モードの切り出し条件を指定する。切り出し条件の内、効果として、ユーザはパンニング切り出しモードを選択する。切り出し条件は、図４Ｂに示した画面上で設定可能である。なお、本実施形態では、移動速度は予め指定されているものとする。また、自動停止はＯＦＦに指定されているものとする。デジタルカメラ１００は、ユーザにより指定された切り出し条件を設定する（Ｓ２１）。
【００５６】
次に、ユーザは、パンニング切り出しを行う際の切り出し領域Ａｚの垂直方向の位置を指定する。具体的には、ユーザは表示モニタ２２０の任意の位置をタッチすることで切り出し領域Ａｚの垂直方向の位置を設定することができる。なお、切り出し領域Ａｚの垂直方向の位置は、予め決められた選択肢の中から選ばれるようにしても構わない。例えば、切り出し領域Ａｚの垂直方向の位置は、高・中・低の３領域から選ばれるようにしても構わない。デジタルカメラ１００は、ユーザにより指定された切り出し領域Ａｚの垂直方向の位置に基づいて記録位置を設定する（Ｓ２２）。
【００５７】
次に、ユーザは、パンニング切り出しを行う際の切り出し領域Ａｚの水平方向の移動方向を指定する。具体的には、切り出し領域Ａｚの移動方向を、水平方向において右側から左側、または左側から右側のいずれかに指定する。デジタルカメラ１００は、ユーザにより指定された切り出し領域Ａｚの移動方向を設定する（Ｓ２３）。
【００５８】
上記の設定が終了すると、デジタルカメラ１００は、パンニング切り出しによる切り出し動画像の記録が可能な状態となる。この状態において、ユーザがレリーズ釦２１１を押下すると（Ｓ２４）、デジタルカメラ１００は切り出し動画像の記録を開始する。切り出し動画像の記録中は、デジタルカメラ１００は、切り出し領域Ａｚを指定された方向・速度で移動させながら動画像データの記録を行う。
【００５９】
本実施の形態に係るデジタルカメラ１００では、上述したように自動停止はＯＦＦに設定されているため、切り出し領域Ａｚが移動終了位置まで移動した後も切り出し領域Ａｚにおける動画像の記録を継続する。ユーザが再度レリーズ釦２１１を押下すると、デジタルカメラ１００は切り出し動画像の記録を終了する。
【００６０】
なお、本実施の形態に係るデジタルカメラ１００は、パンニング切り出しの際に、切り出し領域Ａｚの垂直方向の位置を設定可能なものとしたが、切り出し領域Ａｚが表示モニタ２２０の垂直方向における中央領域を自動的に水平方向に移動するものとしても構わない。
【００６１】
パンニング切り出しによれば、以下の効果が得られる。図５Ｂは、パンニング切り出しによる夜景撮影時の効果を説明する図である。例えば夜景等の撮影時には、シャッタスピードが遅くなりやすいため、実際にデジタルカメラのパンニングを行うと、図５Ｂ（ｂ）に示すように、ぶれたような画像が生成されるが、本開示のデジタルカメラ１００のパンニング切り出しにおいては、デジタルカメラ１００に対して実際にパンニングの振りを行う必要がないので、図５Ｂ（ａ）に示すように、ぶれた画像が生成されるのが抑制される。また、パンニング切り出しによれば、ユーザは特殊な機材や技術を必要とせずに正確にパンニングされた動画像を生成することができる。
【００６２】
なお、パンニング切り出しにおいては、ＡＦエリア（オートフォーカスエリア）は、例えば、切り出し領域Ａｚの中における、切り出し領域Ａｚの移動先側の領域に設定される。これにより、切り出し領域Ａｚの移動により切り出し領域Ａｚ内に入ってくる被写体に対していち早く焦点を合わせることができる。なお、ＡＦエリア（オートフォーカスエリア）は、切り出し領域Ａｚの中心（切り出し領域Ａｚの縦方向及び横方向の中心）に設定してもよい。これにより、ユーザの視線が向きやすい映像中央部分に焦点を合わせ続けることができる。
【００６３】
なお、パンニング切り出しや後述する各種の切り出しにおいて、切り出し領域Ａｚの移動、拡大、または縮小とは、切り出し領域Ａｚが、４Ｋ動画像データを構成する各フレーム（ピクチャ）間において移動、拡大、または縮小することを意味し、１つのフレーム（ピクチャ）内では、切り出し領域Ａｚは移動、拡大、縮小はしない。したがって、切り出し動画像データを構成する各フレーム（ピクチャ）が示す静止画像は、移動等によるブレがない画像となる。
【００６４】
３−１−２．チルティング切り出し
図６（ａ）は、チルティング切り出しの一例を説明する図である。図６（ｂ）は、チルティング切り出しを行う際の操作手順例を示す図である。チルティング切り出しは、動画像の撮像中、切り出し領域Ａｚを４Ｋ動画像領域Ａ０内で垂直方向に移動させながら、切り出し動画像（２Ｋ動画像）を生成する切り出しである。
【００６５】
切り出し領域Ａｚの移動方向（チルティングの方向）は、垂直方向において上側から下側、または下側から上側に設定可能である。それ以外の設定に関する構成は、パンニング切り出しと同様である。なお、図６（ａ）は、移動方向（チルティングの方向）が、垂直方向において上側から下側の場合を示している。
【００６６】
チルティング切り出しを行う場合、ユーザは、中央釦２１３及び十字釦２１４等の操作系を操作して、各種の指示をデジタルカメラ１００に対して行う。デジタルカメラ１００は、図６（ｂ）に示すように、ユーザ指示に従って各種の設定・制御を実行する。具体的には以下で説明する。
【００６７】
まずユーザは、切り出し動画モードの切り出し条件を指定する。切り出し条件の内、効果として、ユーザはチルティング切り出しモードを選択する。切り出し条件は、図４Ｂに示した画面上で設定可能である。なお、本実施形態では、移動速度は予め指定されているものとする。また、自動停止はＯＦＦに指定されているものとする。デジタルカメラ１００は、ユーザにより指定された切り出し条件を設定する（Ｓ３１）。
【００６８】
次に、ユーザは、チルティング切り出しを行う際の切り出し領域Ａｚの水平方向の位置を指定する。具体的には、ユーザは表示モニタ２２０の任意の位置をタッチすることで切り出し領域Ａｚの水平方向の位置を設定することができる。なお、切り出し領域Ａｚの水平方向の位置は、予め決められた選択肢の中から選ばれるようにしても構わない。例えば、切り出し領域Ａｚの水平方向の位置は、左・中・右の３領域から選ばれるようにしても構わない。デジタルカメラ１００は、ユーザにより指定された切り出し領域Ａｚの水平方向の位置に基づいて記録位置を設定する（Ｓ３２）。
【００６９】
次に、ユーザは、チルティング切り出しを行う際の切り出し領域Ａｚの垂直方向の移動方向を指定する。具体的には、切り出し領域Ａｚの移動方向を、垂直方向において上側から下側、または下側から上側のいずれかに指定する。デジタルカメラ１００は、ユーザにより指定された切り出し領域Ａｚの移動方向を設定する（Ｓ３３）。
【００７０】
上記の設定が終了すると、デジタルカメラ１００は、チルティング切り出しによる切り出し動画像の記録が可能な状態となる。この状態において、ユーザがレリーズ釦２１１を押下すると（Ｓ３４）、デジタルカメラ１００は切り出し動画像の記録を開始する。切り出し動画像の記録中は、デジタルカメラ１００は、切り出し領域Ａｚを指定された方向・速度で移動させながら動画像データの記録を行う。
【００７１】
本実施の形態に係るデジタルカメラ１００では、上述したように自動停止はＯＦＦに設定されているため、切り出し領域Ａｚが移動終了位置まで移動した後も切り出し領域Ａｚにおける動画像の記録を継続する。ユーザが再度レリーズ釦２１１を押下すると、デジタルカメラ１００は切り出し動画像の記録を終了する。
【００７２】
なお、本実施の形態に係るデジタルカメラ１００は、チルティング切り出しの際に、切り出し領域Ａｚの水平方向の位置を設定可能なものとしたが、切り出し領域Ａｚが表示モニタ２２０の水平方向における中央領域を自動的に垂直方向に移動するものとしても構わない。
【００７３】
チルティング切り出しによれば、以下の効果が得られる。例えば夜景等の撮影時には、シャッタスピードが遅くなりやすいため、実際にデジタルカメラのチルティングを行うと、ぶれたような画像が生成されるが、本開示のデジタルカメラ１００のチルティング切り出しにおいては、デジタルカメラ１００に対して実際にチルティングの振りを行う必要がないので、ぶれた画像が生成されるのが抑制される。また、チルティング切り出しによれば、ユーザは特殊な機材や技術を必要とせずに正確にチルティングされた動画像を生成することができる。
【００７４】
なお、チルティング切り出しにおいては、ＡＦエリア（オートフォーカスエリア）は、例えば、切り出し領域Ａｚの中における、切り出し領域Ａｚの移動先側の領域に設定される。これにより、切り出し領域Ａｚの移動により切り出し領域Ａｚ内に入ってくる被写体に対していち早く焦点を合わせることができる。なお、ＡＦエリア（オートフォーカスエリア）は、切り出し領域Ａｚの中心（切り出し領域Ａｚの縦方向及び横方向の中心）に設定してもよい。これにより、ユーザの視線が向きやすい映像中央部分に焦点を合わせ続けることができる。
【００７５】
３−２．指定中心ズーム切り出し
図７（ａ）は、指定中心ズーム切り出しの一例を説明する図である。図７（ｂ）は、指定中心ズーム切り出しを行う際の操作手順例を示す図である。指定中心ズーム切り出しは、動画像の撮像中、４Ｋ動画像領域Ａ０内でユーザにより設定された拡大または縮小の中心（ズーム中心）Ｐｃを中心として、切り出し領域Ａｚを拡大または縮小させながら、切り出し動画像（２Ｋ動画像）を生成する切り出しである。
【００７６】
切り出し領域Ａｚの拡大または縮小の方向（被写体のズームの方向）は、切り出し領域Ａｚの拡大方向（被写体のズームアウトの方向）、または切り出し領域Ａｚの縮小の方向（被写体のズームインの方向）に設定可能である。図７（ａ）は、切り出し領域Ａｚの拡大または縮小の方向（被写体のズームの方向）が、切り出し領域Ａｚの縮小の方向（被写体のズームインの方向）の場合を示している。切り出し領域Ａｚの大きさの初期値は、切り出し領域Ａｚの縮小の場合（ズームインの場合）、例えば４Ｋ動画像領域Ａ０の全領域と同じ大きさに設定される。切り出し領域Ａｚの拡大、縮小の倍率は、所定の倍率であっても、任意に設定可能であってもよい。切り出し領域Ａｚの拡大の場合（ズームアウトの場合）、切り出し領域Ａｚの大きさの初期値は例えば２Ｋ動画像の全領域と同じ大きさに設定される。
【００７７】
指定中心ズーム切り出しを行う場合、ユーザは、中央釦２１３及び十字釦２１４等の操作系を操作して、各種の指示をデジタルカメラ１００に対して行う。デジタルカメラ１００は、図７（ｂ）に示すように、ユーザ指示に従って各種の設定・制御を実行する。具体的には以下で説明する。
【００７８】
まずユーザは、切り出し動画モードの切り出し条件を指定する。切り出し条件の内、効果として、ユーザは指定中心ズーム切り出しモードを選択する。切り出し条件は、図４Ｂに示した画面上で設定可能である。なお、本実施形態では、移動速度は予め指定されているものとする。また、自動停止はＯＦＦに指定されているものとする。デジタルカメラ１００は、ユーザにより指定された切り出し条件を設定する（Ｓ４１）。
【００７９】
次に、ユーザは、指定中心ズーム切り出しを行う際の切り出し領域Ａｚの拡大、縮小の中心Ｐｃ（被写体のズーム中心Ｐｃ）の位置を指定する。具体的には、ユーザは表示モニタ２２０の任意の位置をタッチすることで切り出し領域Ａｚの拡大、縮小の中心Ｐｃの位置を設定することができる。なお、切り出し領域Ａｚの拡大、縮小の中心Ｐｃの位置は、予め決められた選択肢の中から選ばれるようにしても構わない。例えば、切り出し領域Ａｚの拡大、縮小の中心Ｐｃの位置は、水平方向において左・中・右の３領域、垂直方向において高・中・低の３領域、またはこれらの組み合わせである９領域の中から選ばれるようにしても構わない。デジタルカメラ１００は、ユーザにより指定された切り出し領域Ａｚの拡大、縮小の中心Ｐｃの位置に基づいて切り出し領域Ａｚの記録位置を設定する（Ｓ４２）。
【００８０】
次に、ユーザは、指定中心ズーム切り出しを行う際の切り出し領域Ａｚの拡大または縮小の方向（被写体のズーム方向）を指定する。具体的には、切り出し領域Ａｚの拡大または縮小の方向を、切り出し領域Ａｚを拡大する方向または縮小する方向のいずれかに指定する。デジタルカメラ１００は、ユーザにより指定された切り出し領域Ａｚの拡大または縮小の方向（被写体のズーム方向）を設定する（Ｓ４３）。
【００８１】
上記の設定が終了すると、デジタルカメラ１００は、指定中心ズーム切り出しによる切り出し動画像の記録が可能な状態となる。この状態において、ユーザがレリーズ釦２１１を押下すると（Ｓ４４）、デジタルカメラ１００は切り出し動画像の記録を開始する。切り出し動画像の記録中は、デジタルカメラ１００は、切り出し領域Ａｚを指定された位置に対して拡大／縮小しながら動画像データの記録を行う。
【００８２】
本実施の形態に係るデジタルカメラ１００では、上述したように自動停止はＯＦＦに設定されているため、切り出し領域Ａｚの拡大または縮小が所定の拡大または縮小倍率に達した後も切り出し領域Ａｚにおける動画像の記録を継続する。ユーザが再度レリーズ釦２１１を押下すると、デジタルカメラ１００は切り出し動画像の記録を終了する。
【００８３】
指定中心ズーム切り出しによれば、以下の効果が得られる。例えば夜景等の撮影時には、シャッタスピードが遅くなりやすいため、光学系１１０によりズームを行うと、ズーム中心を中心として放射状にぶれたような動画像が生成されるが、本開示のデジタルカメラ１００においては、光学系１１０によるズームを行う必要がないので、ぶれた動画像が生成されるのが抑制される。また、指定中心ズーム切り出しによれば、ユーザは特殊な機材や技術を必要とせずに正確に指定された点に対してズーミングされる動画像を生成することができる。デジタルカメラを動かさずに光学レンズのみでズーミングを行う際には、画像の中心に向かうズームしかできないが、指定中心ズーム切り出しによれば、ユーザは任意の点に対してズームを行う動画像を記録することができる。
【００８４】
なお、指定中心ズーム切出しにおいては、ユーザが設定した領域に向かってズーミングするものとしたが、本開示はこれに限定されるものではない。 
【００８５】
指定中心ズーム切出しでは、ユーザが切り出し領域Ａｚの拡大、縮小の中心Ｐｃ（被写体のズーム中心Ｐｃ）を指定するが、切り出し領域Ａｚの拡大、縮小の中心Ｐｃがデジタルカメラ１００側で予め設定されているズーム切り出しパターンを設けてもよい。例えば、切り出し領域Ａｚの拡大、縮小の中心Ｐｃを４Ｋ動画像領域Ａ０の水平方向の中央位置、中央の左側位置、中央の右側位置に設けた、中央ズーム切り出し、中央左側ズーム切り出し、中央右側ズーム切り出し等の切り出しパターンを設けてもよい。また、４Ｋ動画像に含まれるから人の顔等を認識し、検出した顔をズーム中心Ｐｃとして、切り出し領域の拡大または縮小を行う顔認識ズーム切り出しパターンを設けてもよい。
【００８６】
なお、指定中心ズーム切出しにおいて、ＡＦエリア（オートフォーカスエリア）は、指定中心ズームの開始から終了まで、切り出し領域Ａｚの拡大、縮小の中心Ｐｃ（被写体のズーム中心Ｐｃ）に固定してもよい。あるいは、切り出し領域Ａｚ内の顔を認識可能なように構成し、指定中心ズーム切出し中に切り出し領域Ａｚ内に顔を認識した場合は、顔にＡＦエリア（オートフォーカスエリア）を設定するようにしてもよい。これにより、ユーザの視線が向きやすい映像中央部分や顔に焦点を合わせ続けることができる。
【００８７】
３−３．始点・終点指定パンニング・チルティング切り出し
図８（ａ）は、始点・終点指定パンニング・チルティング切り出しの一例を説明する図である。図８（ｂ）は、始点・終点指定パンニング・チルティング切り出しを行う際の操作手順例を示す図である。始点・終点指定パンニング・チルティング切り出しは、動画像の撮像中、切り出し領域Ａｚを、ユーザが指定した始点Ｐｓから終点Ｐｅへ直線的に移動させながら、切り出し動画像（２Ｋ動画像）を生成する切り出しである。
【００８８】
切り出し領域Ａｚの移動の始点Ｐｓ及び終点Ｐｅは、４Ｋ動画像領域Ａ０内の後述する領域を除く領域の任意の位置に設定可能である。コントローラ１８０は、切り出し領域Ａｚを、始点Ｐｓの位置から終点Ｐｅの位置まで、切り出し領域Ａｚの中心を始点Ｐｓと終点Ｐｅとを結んだ直線上に位置させた状態で、直線的に移動させる。
【００８９】
始点・終点指定パンニング・チルティング切り出しを行う場合、ユーザは、中央釦２１３及び十字釦２１４等の操作系を操作して、各種の指示をデジタルカメラ１００に対して行う。デジタルカメラ１００は、図８（ｂ）に示すように、ユーザ指示に従って各種の設定・制御を実行する。具体的には以下で説明する。
【００９０】
まずユーザは、切り出し動画モードの切り出し条件を指定する。切り出し条件の内、効果として、ユーザは始点・終点指定パンニング・チルティング切り出しモードを選択する。切り出し条件は、図４Ｂに示した画面上で設定可能である。なお、本実施形態では、移動速度は予め指定されているものとする。また、自動停止はＯＦＦに指定されているものとする。デジタルカメラ１００は、ユーザにより指定された切り出し条件を設定する（Ｓ５１）。
【００９１】
次に、ユーザは、始点・終点指定パンニング・チルティング切り出しを開始するときの切り出し領域Ａｚの位置を指定する。つまり、切り出しの開始領域を指定する。具体的には、ユーザは表示モニタ２２０の任意の位置をタッチすることで開始領域の中心（始点Ｐｓ）を設定することができる。デジタルカメラ１００は、ユーザにより指定された開始領域の中心（始点Ｐｓ）の位置に基づいて記録開始位置を設定する（Ｓ５２）。
【００９２】
次に、ユーザは、始点・終点指定パンニング・チルティング切り出しを終了するときの切り出し領域Ａｚの位置を指定する。つまり、切り出しの終了領域を指定する。具体的には、ユーザは表示モニタ２２０の任意の位置をタッチすることで終了領域の中心（終点Ｐｅ）を設定することができる。デジタルカメラ１００は、ユーザにより指定された終了領域の中心（終点Ｐｅ）の位置に基づいて記録終了位置を設定する（Ｓ５３）。
【００９３】
上記の設定が終了すると、デジタルカメラ１００は、始点・終点指定パンニング・チルティング切り出しによる切り出し動画像の記録が可能な状態となる。この状態において、ユーザがレリーズ釦２１１を押下すると（Ｓ５４）、デジタルカメラ１００は切り出し動画像の記録を開始する。切り出し動画像の記録中は、デジタルカメラ１００は、切り出し領域Ａｚを、始点Ｐｓの位置から終点Ｐｅの位置まで直線的に、指定された速度で移動させながら動画像データの記録を行う。
【００９４】
本実施の形態に係るデジタルカメラ１００では、上述したように自動停止はＯＦＦに設定されているため、切り出し領域Ａｚが移動終了位置まで移動した後も切り出し領域Ａｚにおける動画像の記録を継続する。ユーザが再度レリーズ釦２１１を押下すると、デジタルカメラ１００は切り出し動画像の記録を終了する。
【００９５】
始点・終点指定パンニング・チルティング切り出しによれば、以下の効果が得られる。例えば夜景等の撮影時には、シャッタスピードが遅くなりやすいため、実際にデジタルカメラのパンニングやチルティング等を行うと、ぶれたような画像が生成されるが、本開示のデジタルカメラ１００の始点・終点指定パンニング・チルティング切り出しにおいては、デジタルカメラ１００に対して実際にパンニングやチルティング等の振りを行う必要がないので、ぶれた画像が生成されるのが抑制される。また、始点・終点指定パンニング・チルティング切り出しによれば、ユーザは特殊な機材や技術を必要とせずに正確にパンニングやチルティング、あるいはそれらが組み合わされた動画像を生成することができる。
【００９６】
なお、始点・終点指定パンニング・チルティング切り出しの際に、始点及び終点を指定してパンニング切り出し又はチルティング切り出しのみを行うようにしても構わない。その際に、ユーザは図４Ｂに示した設定画面における設定の際に、始点・終点指定パンニング・チルティング切り出しとしてパンニング切り出し又はチルティング切り出しのみを行うことを選択できる。例えば、ユーザは始点・終点指定パンニング・チルティング切り出しとしてパンニング切り出しを行うことを選択するとする。このとき、ユーザが始点又は終点を選択した際に、水平方向からずれた点を指定してしまう可能性がある。このようなずれの発生を抑制するために、コントローラ１８０は、始点・終点指定パンニング・チルティング切り出しとしてパンニング切り出しを行うことが選択されていると、自動的に始点又は終点を水平方向に一致するように補正するものとしても構わない。または、コントローラ１８０は、ユーザが始点を選択すると、始点に水平な位置のみから終点を選択可能とするようにしても構わない。ユーザが始点・終点指定パンニング・チルティング切り出しとしてチルティング切り出しを行うことを選択した場合も、コントローラ１８０は垂直方向に同様の処理を行う。
【００９７】
３−４．移動経路指定切り出し
図９（ａ）は、移動経路指定切り出しの一例を説明する図である。図９（ｂ）は、移動経路指定切り出しを行う際の操作手順例を示す図である。移動経路指定切り出しは、ユーザにより設定された移動経路に基づいて、動画像の撮像中、切り出し領域Ａｚを４Ｋ動画像領域内で移動させながら、切り出し動画像（２Ｋ動画像）を生成する切り出しである。
【００９８】
移動経路Ｌは、４Ｋ動画像領域Ａ０内の後述する領域を除く領域において任意に設定可能である。切り出し領域Ａｚの移動速度及び移動速度の変化の態様は、パンニング切り出し等と同様に設定可能としてもよい。
【００９９】
コントローラ１８０は、切り出し動画モードの移動経路指定切り出しにおいて、切り出し領域Ａｚを、４Ｋ動画像領域Ａ０内で、ユーザにより設定された移動経路Ｌに沿って、その始点Ｐｓから終点Ｐｅの位置まで移動させながら、切り出し動画像（２Ｋ動画像）を生成する。このとき、コントローラ１８０は、切り出し領域Ａｚの中心を移動経路Ｌ上に位置させながら、切り出し領域Ａｚを移動させる。
【０１００】
移動経路指定切り出しを行う場合、ユーザは、中央釦２１３及び十字釦２１４等の操作系を操作して、各種の指示をデジタルカメラ１００に対して行う。デジタルカメラ１００は、図９（ｂ）に示すように、ユーザ指示に従って各種の設定・制御を実行する。具体的には以下で説明する。
【０１０１】
まずユーザは、切り出し動画モードの切り出し条件を指定する。切り出し条件の内、効果として、ユーザは移動経路指定切り出しモードを選択する。切り出し条件は、図４Ｂに示した画面上で設定可能である。なお、本実施形態では、移動速度は予め指定されているものとする。また、自動停止はＯＦＦに指定されているものとする。デジタルカメラ１００は、ユーザにより指定された切り出し条件を設定する（Ｓ６１）。
【０１０２】
次に、ユーザは、記録エリアプログラム記録開始釦を押下する（Ｓ６２）。記録エリアプログラム記録開始釦は、中央釦２１３及び十字釦２１４を割り当てることにより構成してもよいし、他の釦を割り当てることにより構成してもよい。あるいは、表示モニタ２２０に表示したタッチ式の釦により構成してもよい。
【０１０３】
次に、ユーザは、記録エリアを指定する。具体的に、ユーザは、切り出し領域Ａｚの移動経路を指定する。より具体的には、ユーザは表示モニタ２２０の任意の位置をドラッグすることで切り出し領域Ａｚの移動経路を設定することができる。デジタルカメラ１００は、ユーザにより指定された切り出し領域Ａｚの移動経路に基づいて記録位置を設定する（Ｓ６３）。
【０１０４】
次に、ユーザは、記録エリアプログラム記録終了釦を押下する（Ｓ６４）。記録エリアプログラム記録終了釦は、記録エリアプログラム記録開始釦同様に構成することができる。
【０１０５】
上記の設定が終了すると、デジタルカメラ１００は、移動経路指定切り出しによる切り出し動画像の記録が可能な状態となる。この状態において、ユーザがレリーズ釦２１１を押下すると（Ｓ６５）、デジタルカメラ１００は切り出し動画像の記録を開始する。切り出し動画像の記録中は、デジタルカメラ１００は、切り出し領域Ａｚを指定された移動経路に基づいて移動させながら動画像データの記録を行う。
【０１０６】
本実施の形態に係るデジタルカメラ１００では、上述したように自動停止はＯＦＦに設定されているため、切り出し領域Ａｚが移動終了位置まで移動した後も切り出し領域Ａｚにおける動画像の記録を継続する。ユーザが再度レリーズ釦２１１を押下すると、デジタルカメラ１００は切り出し動画像の記録を終了する。
【０１０７】
移動経路指定切り出しによれば、以下の効果が得られる。例えば夜景等の撮影時には、シャッタスピードが遅くなりやすいため、実際にデジタルカメラの移動を行うと、ぶれたような画像が生成されるが、本開示のデジタルカメラ１００の移動経路指定切り出しにおいては、デジタルカメラ１００に対して実際に振りを行う必要がないので、ぶれた画像が生成されるのが抑制される。また、移動経路指定切り出しによれば、ユーザは特殊な機材や技術を必要とせずに正確に記録領域が移動する動画像を生成することができる。
【０１０８】
３−５．被写体追尾切り出し
図１０（ａ）は、被写体追尾切り出しの一例を説明する図である。図１０（ｂ）は、被写体追尾切り出しを行う際の操作手順例を示す図である。被写体追尾切り出しは、動画像の撮像中、４Ｋ動画像領域Ａ０内においてユーザにより指定された被写体を追尾してその位置を検出し、切り出し領域Ａｚを、検出した被写体の位置に応じて４Ｋ動画像領域Ａ０内で移動させながら、切り出し動画像（２Ｋ動画像）を生成する切り出しである。
【０１０９】
画像中の被写体の追尾方法としては、被写体の色に基づいて追尾を行う方法等の公知の追尾方法を利用することができる。
【０１１０】
被写体追尾切り出しを行う場合、ユーザは、中央釦２１３及び十字釦２１４等の操作系を操作して、各種の指示をデジタルカメラ１００に対して行う。デジタルカメラ１００は、図１０（ｂ）に示すように、ユーザ指示に従って各種の設定・制御を実行する。具体的には以下で説明する。
【０１１１】
まずユーザは、切り出し動画モードの切り出し条件を指定する。切り出し条件の内、効果として、ユーザは被写体追尾切り出しモードを選択する。切り出し条件は、図４Ｂに示した画面上で設定可能である。また、自動停止はＯＦＦに指定されているものとする。デジタルカメラ１００は、ユーザにより指定された切り出し条件を設定する（Ｓ７１）。
【０１１２】
ユーザにより被写体追尾切り出しモードが選択されると、コントローラ１８０は被写体追尾機能をＯＮに設定する（Ｓ７２）。
【０１１３】
次に、ユーザは、追尾対象の被写体を指定する（Ｓ７３）。具体的には、ユーザは表示モニタ２２０の任意の位置Ｐｘをタッチすることで追尾対象の被写体を指定することができる。
【０１１４】
上記の設定が終了すると、デジタルカメラ１００は、被写体追尾切り出しによる切り出し動画像の記録が可能な状態となる。この状態において、ユーザがレリーズ釦２１１を押下すると（Ｓ７４）、デジタルカメラ１００は切り出し動画像の記録を開始する。切り出し動画像の記録中は、デジタルカメラ１００は、切り出し領域Ａｚを追尾対象の被写体の移動経路Ｔに沿って移動させながら動画像データの記録を行う。
【０１１５】
ユーザが再度レリーズ釦２１１を押下すると、デジタルカメラ１００は切り出し動画像の記録を終了する。
【０１１６】
被写体追尾切り出しによれば、広角で撮影した動画像から、被写体が存在する領域のみを自動で切り出して撮影することができる。これにより、ユーザは、デジタルカメラ１００を被写体に合わせて動かすことなく、被写体を捉えた躍動感のある動画像を撮影することが可能となる。
【０１１７】
３−６．１ポイントＡＦ指定エリア切り出し
図１１（ａ）は、１ポイントＡＦ指定エリア切り出しの一例を説明する図である。図１１（ｂ）は、１ポイントＡＦ指定エリア切り出しを行う際の操作手順例を示す図である。１ポイントＡＦ指定エリア切り出しは、動画像の撮像中、４Ｋ動画像領域Ａ０内において１ポイントＡＦ指定により指定されたＡＦエリアに基づいて切り出し領域Ａｚを設定し、４Ｋ動画像領域Ａ０内の切り出し領域Ａｚの動画像データを切り出して、切り出し動画像（２Ｋ動画像）を生成する切り出しである。１ポイントＡＦ指定エリアとは、４Ｋ動画像領域内において、選択された合焦エリアである。合焦エリアの大きさは、中央釦２１３及び十字釦２１４等を操作することにより変更することができる。
【０１１８】
１ポイントＡＦ指定エリア切り出しを行う場合、ユーザは、中央釦２１３及び十字釦２１４等の操作系を操作して、各種の指示をデジタルカメラ１００に対して行う。デジタルカメラ１００は、図１１（ｂ）に示すように、ユーザ指示に従って各種の設定・制御を実行する。具体的には以下で説明する。
【０１１９】
まずユーザは、１ポイントＡＦ指定エリア切り出しの切り出し条件を指定する。撮影条件の内、効果として、ユーザは１ポイントＡＦ指定エリア切り出しモードを選択する。切り出し条件は、図４Ｂに示した画面上で設定可能である。また、自動停止はＯＦＦに指定されているものとする。デジタルカメラ１００は、ユーザにより指定された切り出し条件を設定する（Ｓ８１）。
【０１２０】
上記の設定が終了すると、デジタルカメラ１００は、１ポイントＡＦ指定エリア切り出しによる切り出し動画像の記録が可能な状態となる。この状態において、ユーザがレリーズ釦２１１を押下すると（Ｓ８２）、デジタルカメラ１００は切り出し動画像の記録を開始する。
【０１２１】
次に、ユーザは、１ポイントＡＦ指定エリア切り出しを行う際の記録エリア、つまり切り出し領域Ａｚを指定する（Ｓ８３）。具体的には、ユーザは表示モニタ２２０の任意のＡＦポイントをタッチすることで記録エリアを設定することができる。切り出し動画像の記録中は、デジタルカメラ１００は、指定された記録エリア（ＡＦポイント）を切り出し領域Ａｚとして動画像データの記録を行う。
【０１２２】
ユーザが再度レリーズ釦２１１を押下すると（Ｓ８４）、デジタルカメラ１００は切り出し動画像の記録を終了する。
【０１２３】
３−８．切り出し中心位置の設定の制限
図１２は、切り出し中心位置の設定の制限を説明する図である。切り出し領域Ａｚは、所定の範囲を有する。そのため、ユーザが指定した切り出し中心の位置によっては、指定された位置を中心とする切り出し領域Ａｚの範囲が、４Ｋ動画像領域Ａ０の範囲の外にはみ出し、ユーザが意図した画像を取得できない場合がある。本実施形態では、これを防止するため、４Ｋ動画像領域Ａ０の中において設定可能な切り出し中心Ｐｏの位置の範囲を示す枠Ｓａを表示してもよい。枠Ｓａは、この範囲内に、切り出し中心Ｐｏが設定される限り、切り出し領域Ａｚが４Ｋ動画像領域Ａ０の中に存在するように設定されている。また、コントローラ１８０は、ユーザにより枠Ｓａの外の位置が指定された場合、警告等を表示する。あるいは、コントローラ１８０は、ユーザにより枠Ｓａの外の位置が指定された場合、指定された位置を切り出し中心とせず、指定された位置から最も近い枠Ｓａ内の位置を中心として設定してもよい。
【０１２４】
３−９．顔検出パンニング・チルティング切り出し
図１３（ａ）は、顔検出パンニング・チルティング切り出しの一例を説明する図である。図１３（ｂ）は、顔検出パンニング・チルティング切り出しを行う際の操作手順例を示す図である。顔検出パンニング・チルティング切り出しは、動画像の撮像中、４Ｋ動画像領域Ａ０内に存在する顔を検出し、複数の顔（例えばＦａ１、Ｆａ２、Ｆａ３、Ｆａ４）が検出された場合、切り出し領域Ａｚを、各顔（Ｆａ１、Ｆａ２、Ｆａ３、Ｆａ４）の位置に順次移動させながら、切り出し動画像（２Ｋ動画像）を生成する切り出しである。なお、検出された顔の全てに移動させた後、切り出し領域Ａｚを４Ｋ動画像領域Ａ０の大きさにまで拡大してもよい。
【０１２５】
切り出し領域Ａｚの位置は、例えば、検出された顔が切り出し領域Ａｚのほぼ中心に位置するように設定する。切り出し領域Ａｚの移動方向は、右側から左側、または左側から右側に設定可能である。図１３（ａ）は、移動方向が左側から右側の場合を示している。
【０１２６】
顔検出パンニング・チルティング切り出しを行う場合、ユーザは、中央釦２１３及び十字釦２１４等の操作系を操作して、各種の指示をデジタルカメラ１００に対して行う。デジタルカメラ１００は、図１３（ｂ）に示すように、ユーザ指示に従って各種の設定・制御を実行する。具体的には以下で説明する。
【０１２７】
まずユーザは、切り出し動画モードの切り出し条件を指定する。切り出し条件の内、効果として、ユーザは顔検出パンニング・チルティング切り出しモードを選択する。切り出し条件は、図４Ｂに示した画面上で設定可能である。なお、本実施形態では、移動速度は予め指定されているものとする。また、自動停止はＯＦＦに指定されているものとする。デジタルカメラ１００は、ユーザにより指定された切り出し条件を設定する（Ｓ１０１）。
【０１２８】
上記の設定が終了すると、デジタルカメラ１００は、顔検出パンニング・チルティング切り出しによる切り出し動画像の記録が可能な状態となる。この状態において、ユーザがレリーズ釦２１１を押下すると（Ｓ１０２）、デジタルカメラ１００は切り出し動画像の記録を開始する。切り出し動画像の記録中、デジタルカメラ１００は、切り出し領域Ａｚを指定された方向・速度で移動させながら動画像データの記録を行う。
【０１２９】
本実施の形態に係るデジタルカメラ１００では、上述したように自動停止はＯＦＦに設定されているため、切り出し領域Ａｚが最後の顔位置まで移動した後も切り出し領域Ａｚにおける動画像の記録を継続する。ユーザが再度レリーズ釦２１１を押下すると、デジタルカメラ１００は切り出し動画像の記録を終了する。
【０１３０】
なお、顔検出パンニング・チルティング切り出しにおいては、ＡＦエリア（オートフォーカスエリア）は、例えば、切り出し領域Ａｚ内に存在する顔に設定される。例えば、図１３（ａ）に示すように、４Ｋ動画像領域Ａ０内に４人の顔Ｆａ１、Ｆａ２、Ｆａ３、Ｆａ４が検出された場合、切り出し領域Ａｚが、顔Ｆａ１、顔Ｆａ２、顔Ｆａ３、顔Ｆａ４の位置に、左側から順に移動され、かつＡＦエリア（オートフォーカスエリア）Ｆｃが、切り出し領域Ａｚ内に存在する顔に順次移動される。これにより、切り出し領域Ａｚを移動させつつ、切り出し領域Ａｚ内に存在する顔に対して適切に焦点を合わせることができる。
【０１３１】
顔検出パンニング・チルティング切り出しによれば、４Ｋ動画像領域Ａ０内に複数の顔が存在する場合に、各顔を順次拡大した映像を自動で生成することができる。
【０１３２】
３−１０．顔検出ズーム切り出し
図１４（ａ）は、顔検出ズーム切り出しの一例を説明する図である。顔検出ズーム切り出しを行う際の操作手順は、前述の図１３（ｂ）のフローチャートで示される。顔検出ズーム切り出しは、動画像の撮像中、４Ｋ動画像領域Ａ０内に存在する顔を検出し、複数の顔（例えばＦａ１、Ｆａ２、Ｆａ３、Ｆａ４）を検出した場合、切り出し領域Ａｚの中に前記複数の顔（Ｆａ１、Ｆａ２、Ｆａ３、Ｆａ４）の全てを含んだ状態で切り出し領域Ａｚを縮小しながら、切り出し動画像（２Ｋ動画像）を生成する切り出しである。
【０１３３】
顔検出ズーム切り出しを行う場合、ユーザは、中央釦２１３及び十字釦２１４等の操作系を操作して、各種の指示をデジタルカメラ１００に対して行う。デジタルカメラ１００は、図１３（ｂ）に示すように、ユーザ指示に従って各種の設定・制御を実行する。具体的には以下で説明する。
【０１３４】
まずユーザは、切り出し動画モードの切り出し条件を指定する。切り出し条件の内、効果として、ユーザは顔検出ズーム切り出しモードを選択する。切り出し条件は、図４Ｂに示した画面上で設定可能である。なお、ズーム速度は予め指定されているものとする。また、自動停止はＯＦＦに指定されているものとする。デジタルカメラ１００は、ユーザにより指定された切り出し条件を設定する（Ｓ１０１）。
【０１３５】
上記の設定が終了すると、デジタルカメラ１００は、顔検出ズーム切り出しによる切り出し動画像の記録が可能な状態となる。この状態において、ユーザがレリーズ釦２１１を押下すると（Ｓ１０２）、デジタルカメラ１００は切り出し動画像の記録を開始する。具体的に、デジタルカメラ１００は、４Ｋ動画像領域Ａ０内に存在する顔を検出し、切り出し領域Ａｚの大きさを、４Ｋ動画像領域Ａ０の全領域の大きさから、全領域の大きさよりも小さく、かつ検出した全ての顔Ｆａ１、Ｆａ２、Ｆａ３、Ｆａ４が含まれる大きさまで縮小しながら、切り出し動画像（２Ｋ動画像）データの記録を行う。縮小は、予め設定された速度で行われる。
【０１３６】
本実施の形態に係るデジタルカメラ１００では、上述したように自動停止はＯＦＦに設定されているため、切り出し領域Ａｚの大きさ及び位置を、検出した全ての顔を含むことが可能な範囲まで縮小した後も、切り出し領域Ａｚにおける動画像の記録を継続する。ユーザが再度レリーズ釦２１１を押下すると、デジタルカメラ１００は切り出し動画像の記録を終了する。
【０１３７】
なお、顔検出ズーム切り出しにおいて、ＡＦエリア（オートフォーカスエリア）は、例えば、切り出し領域Ａｚの中心に最も近い位置に存在する顔に設定される。例えば、図１４（ａ）示すように、４Ｋ動画像領域Ａ０内に４人の顔が検出された場合、切り出し領域Ａｚ内の中心に最も近い位置に存在する顔Ｆａ２にＡＦエリア（オートフォーカスエリア）が設定され、そのＡＦ状態を維持してズームが行われる。図１４（ａ）のように、複数の顔が存在する場合、集合写真の撮影のために集合していることが考えられる。この場合、撮像装置からこれらの顔までの距離にはあまり差がない場合が多い。よって、切り出し領域Ａｚ内の中心に最も近い位置に存在する顔Ｆａ２にＡＦエリアを設定した場合でも、切り出し領域Ａｚ内に存在する全ての顔に対して適切に焦点を合わせることができる。
【０１３８】
図１４（ｂ）は、デジタルカメラ１００による、顔検出ズーム切り出しにおけるズーム時の切り出し領域Ａｚの大きさの設定動作の一例を示す図である。
【０１３９】
まず、デジタルカメラ１００は、レリーズ釦２１１が押下されると、４Ｋ動画像領域Ａ０内に存在する全ての顔を検出する（Ｓ１１１）。
【０１４０】
デジタルカメラ１００は、検出された顔のうち最も上にある顔が切り出し領域Ａｚ内に含まれるように切り出し領域Ａｚの上辺の位置を決定する（Ｓ１１２）。例えば、デジタルカメラ１００は、最も上にある顔の上端から上方に所定距離離れた位置に切り出し領域Ａｚの上辺の位置を設定する。所定距離は、例えばデジタル画像における所定画素数である。
【０１４１】
デジタルカメラ１００は、検出された顔のうち最も下にある顔が切り出し領域Ａｚ内に含まれるように切り出し領域Ａｚの下辺の位置を決定する（Ｓ１１３）。例えば、デジタルカメラ１００は、最も下にある顔の下端から下方に所定距離離れた位置に切り出し領域Ａｚの下辺の位置を設定する。
【０１４２】
デジタルカメラ１００は、検出された顔のうち最も左にある顔が切り出し領域Ａｚ内に含まれるように切り出し領域Ａｚの左辺の位置を決定する（Ｓ１１４）。例えば、デジタルカメラ１００は、最も左にある顔の左端から左方に所定距離離れた位置に切り出し領域Ａｚの左辺の位置を設定する。
【０１４３】
デジタルカメラ１００は、検出された顔のうち最も右にある顔が切り出し領域Ａｚ内に含まれるように切り出し領域Ａｚの右辺の位置を決定する（Ｓ１１５）。例えば、デジタルカメラ１００は、最も右にある顔の右端から右方に所定距離離れた位置に切り出し領域Ａｚの右辺の位置を設定する。なお、このように切り出し領域Ａｚを設定すると、生成される切り出し動画のアスペクト比が２Ｋ動画像（１９２０×１０８０画素の動画像）のアスペクト比と異なってしまう場合がある。この場合、上辺及び下辺と、左辺及び右辺とのうちいずれか一方の位置を２Ｋ動画像のアスペクト比と一致するように変更してもよい。
【０１４４】
デジタルカメラ１００は、検出された顔のうち、切り出し領域Ａｚ内においてその中心に最も近い位置に存在する顔Ｆａ２をフォーカス対象として選択し、ＡＦエリア（オートフォーカスエリア）Ｆｃを設定する（Ｓ１１６）。
【０１４５】
上述のように、顔検出ズーム切り出しによれば、４Ｋ動画像領域Ａ０内に含まれる全ての顔を含んだ状態で連続的に拡大しながら、２Ｋ動画像データを生成することができる。
【０１４６】
３−１１．追尾方法自動切替切り出し
図１５（ａ）、（ｂ）は、追尾方法自動切替切り出しの一例を説明する図である。追尾方法自動切替切り出しを行う際の操作手順は、前述の図１３（ｂ）のフローチャートで示される。追尾方法自動切替切り出しは、切り出し動画像の撮像中、表示モニタ２２０に対してタッチ操作またはドラッグ操作が行われているときはタッチ位置に存在する被写体の追尾を行いながらこれに追従して切り出し領域Ａｚを移動させ、一方タッチされていないときは自動追尾を行いながらこれに追従して切り出し領域Ａｚを移動させ、切り出し動画像（２Ｋ動画像）を生成する切り出しである。ＡＦエリア（オートフォーカスエリア）Ｆｃは、追従中の被写体に設定される。
【０１４７】
追尾方法自動切替切り出しを行う場合、ユーザは、中央釦２１３及び十字釦２１４等の操作系を操作して、各種の指示をデジタルカメラ１００に対して行う。デジタルカメラ１００は、前述の図１３（ｂ）に示すように、ユーザ指示に従って各種の設定・制御を実行する。具体的には以下で説明する。
【０１４８】
まずユーザは、切り出し動画モードの切り出し条件を指定する。切り出し条件の内、効果として、ユーザは追尾方法自動切替切り出しモードを選択する。切り出し条件は、図４Ｂに示した画面上で設定可能である。なお、自動停止はＯＦＦに指定されているものとする。デジタルカメラ１００は、ユーザにより指定された切り出し条件を設定する（Ｓ１２１）。
【０１４９】
上記の設定が終了すると、デジタルカメラ１００は、追尾方法自動切替切り出しによる切り出し動画像の記録が可能な状態となる。この状態において、ユーザがレリーズ釦２１１を押下すると（Ｓ１２２）、デジタルカメラ１００は、ユーザのタッチ操作があったときに、切り出し動画像の記録を開始する。
【０１５０】
デジタルカメラ１００は、ユーザのタッチ操作があったか否かを判断する（Ｓ１２３）。
【０１５１】
ユーザのタッチ操作が発生した場合（Ｓ１２３でＹｅｓ）、デジタルカメラ１００は、同一位置でのタッチ状態が継続しているか、またはドラッグ操作が行われているか判断する（Ｓ１２４）。
【０１５２】
タッチ状態が継続し、またはドラッグ操作が行われている場合（Ｓ１２４でＹｅｓ）、デジタルカメラ１００は、マニュアル被写体追尾を実行する（Ｓ１２５）。具体的に、デジタルカメラ１００は、ユーザがタッチしている位置が切り出し領域Ａｚの中心と一致するように、切り出し領域Ａｚを設定し（移動させ）、かつタッチされている位置にＡＦエリア（オートフォーカスエリア）を設定し、切り出し動画像の記録を行う。切り出し領域Ａｚの大きさは、予め設定された大きさである。
【０１５３】
タッチ状態が継続しておらず、またドラッグ操作も行われていない場合（Ｓ１２４でＮｏ）、デジタルカメラ１００は、自動被写体追尾を実行する（Ｓ１２６）。具体的に、デジタルカメラ１００（コントローラ１８０）は、被写体追尾機能をＯＮに設定し、追尾する被写体が切り出し領域Ａｚの中心に位置するように、切り出し領域Ａｚを移動させ、かつ当該位置にＡＦエリア（オートフォーカスエリア）を設定し、切り出し動画像の記録を行う。切り出し領域Ａｚの大きさは、予め設定された大きさである。
【０１５４】
本実施の形態に係るデジタルカメラ１００では、上述したように自動停止はＯＦＦに設定されているため、切り出し領域Ａｚが最後の顔の位置まで移動した後も、当該最後の位置での切り出し動画像の記録を継続する。ユーザが再度レリーズ釦２１１を押下すると、デジタルカメラ１００は切り出し動画像の記録を終了する。
【０１５５】
次に、追尾方法自動切替モードにおける追尾の学習について説明する。図１６（ａ）はマニュアル追尾の実行時のコントローラの学習を説明する図である。図１６（ｂ）は自動追尾の実行時のコントローラの学習を説明する図である。
【０１５６】
まず、図１６（ａ）を参照して、マニュアル追尾の実行時における学習について説明する。コントローラ１８０は、ユーザが表示モニタ２２０においてタッチしている位置の被写体の特徴量を取得する（Ｓ１３１）。
【０１５７】
コントローラ１８０は、今回取得した特徴量に係る特徴と、記憶している特徴量に係る特徴とが類似しているか否かを判断する（Ｓ１３２）。
【０１５８】
類似していない場合（Ｓ１３２でＮＯ）、コントローラ１８０は、今回取得した特徴量を同一被写体の新たな特徴量として追加登録する（Ｓ１３３）。
【０１５９】
一方、類似している場合（Ｓ１３２でＹＥＳ）、コントローラ１８０は、前述のステップＳ１３１の処理に戻る。
【０１６０】
次に、図１６（ｂ）を参照して、自動追尾の実行時における学習について説明する。
【０１６１】
コントローラ１８０は、前回の追尾位置（切替直後においてはユーザが表示モニタ２２０へのタッチをやめた位置）の周辺の特徴量を取得する（Ｓ１４１）。
【０１６２】
コントローラ１８０は、今回取得した特徴量に係る特徴と、マニュアル追尾により取得して記憶している特徴量に係る特徴とが類似しているか否かをそれぞれの特徴量に基づいて判断する（Ｓ１４２）。
【０１６３】
類似していない場合（Ｓ１４２でＮＯ）、コントローラ１８０は、追尾すべき被写体を見失った（ロスト）と判断する（Ｓ１４４）。つまり、自動追尾時の学習を終了する。
【０１６４】
一方、類似している場合（Ｓ１４２でＹＥＳ）、コントローラ１８０は、追尾対象の被写体の位置を判断（取得）する（Ｓ１４３）。
【０１６５】
上記の図１６（ａ）のフローチャートの処理によれば、マニュアル追尾時に同一被写体の新たな特徴量を取得することができ、図１６（ｂ）のフローチャートの処理による自動追尾時に追尾精度を向上させることができる。
【０１６６】
図１７は、自動追尾の実行時に上記のロストが発生した場合に、ユーザが表示モニタ２２０にタッチ操作を行って、マニュアル追尾に切り替わる様子を説明する図である。
【０１６７】
図１７は、自動追尾の実行時に上記のロストが発生した例を示している。この例では、Ｐａで示す位置に切り出し領域Ａｚが位置しているが、被写体Ｏｂは切り出し領域Ａｚ内に存在しておらず、Ｐｂで示す位置に存在している。この場合において、ユーザが表示モニタ２２０の被写体部分にタッチすると、マニュアル追尾モードに切り替わるが、切り出し領域Ａｚを位置Ｐａから位置Ｐｂまで瞬間的に移動させるのではなく、所定の速度で移動させる。瞬間的に移動させると、記録された映像をユーザが見たときに違和感を持つ可能性があるからである。なお、所定の速度は、違和感を抱かせない程度の緩やかな速度であり、予め設定されている。上記のように所定速度で移動させることにより、違和感を持つことが抑制される。
【０１６８】
追尾方法自動切替切り出しによれば、３−５．被写体追尾切り出しにおいて説明した効果に加え、さらに、ユーザの意図にしたがってマニュアルで被写体を追尾させることができる。さらに、マニュアル追尾で被写体の特徴量を学習させて、自動追尾時の追尾精度を向上させることができる。
【０１６９】
３−１２．被写体大きさ変化追従追尾切り出し
図１８は、被写体大きさ変化追従追尾切り出しの一例を説明する図である。被写体大きさ変化追従追尾切り出しは、前述した３−５．被写体追尾切り出しにおいて、さらに４Ｋ動画像領域Ａ０内における追尾中の被写体Ｏｂの位置及び大きさの変化に応じて切り出し領域Ａｚの位置及び大きさを変化させる切り出しである。なお、被写体Ｏｂの大きさの変化に応じて切り出し領域Ａｚの大きさを変化させる点以外については、３−５．被写体追尾切り出しで説明した制御動作と同じ制御動作が行われる。そのため、以下において、相違点を中心に説明する。
【０１７０】
本モードでは、被写体の追尾中、４Ｋ動画像領域Ａ０内における被写体Ｏｂの大きさ（例えば水平方向及び垂直方向の画素数）を検出する。そして、検出した被写体Ｏｂの上端、下端、左端、及び右端に対して切り出し領域Ａｚの枠Ｆｒが少なくとも所定画素数離れることとなるように、切り出し領域Ａｚの大きさ及び位置を設定する。被写体Ｏｂの大きさの検出は、公知の技術を利用すればよい。
【０１７１】
被写体大きさ変化追従追尾切り出しによれば、広角で撮影した動画像から、被写体Ｏｂが存在する領域のみを自動で切り出して撮影することができる。これにより、ユーザは、デジタルカメラ１００を被写体Ｏｂに合わせて動かすことなく、被写体Ｏｂを捉えた躍動感のある動画像を撮影することが可能となる。特に、被写体大きさ変化追従追尾切り出しによれば、例えば、図１８に示すように、被写体Ｏｂがデジタルカメラ１００に接近してきて、４Ｋ動画像領域Ａ０内において被写体Ｏｂが大きくなる方向に移動してきた場合、被写体Ｏｂの大きさに追従して切り出し領域Ａｚの大きさを自動で変化させることができる。そのため、４Ｋ動画像領域Ａ０内において被写体Ｏｂの大きさが変化した場合でも、被写体Ｏｂ全体を捉え、かつ生成された切り出し動画像内における被写体Ｏｂの大きさをほぼ一定に保つことができる。逆に、被写体Ｏｂが例えばデジタルカメラ１００から遠ざかり、４Ｋ動画像領域Ａ０内において被写体Ｏｂの大きさが小さくなる方向に変化した場合でも、被写体Ｏｂ全体を捉え、かつ生成された切り出し動画像内における被写体Ｏｂの大きさをほぼ一定に自動で保つことができる。
【０１７２】
３−１３．切り出し領域の移動及び拡大、縮小の一時停止（ポーズ）
切り出しモードで画像を記録中、中央釦２１３及び十字釦２１４あるいはその他のボタンを操作することにより、切り出し領域Ａｚの移動及び拡大、縮小を一時停止させ、切り出し領域Ａｚの画像の記録は継続してもよい。この場合、切り出し領域Ａｚの移動及び拡大、縮小の再開は、例えば、中央釦２１３及び十字釦２１４あるいはその他のボタンを操作することにより、行えるようにすればよい。これにより、切り出し領域Ａｚの画像の記録は継続しつつ、切り出し領域の移動及び拡大、縮小をユーザの意思に基づいて適切なときに停止することができる。
【０１７３】
４．効果等
本開示のデジタルカメラ１００（撮像装置）は、動画像を撮像し、４Ｋ動画像データ（第１動画像データ）を生成するＣＣＤ１４０、ＡＤＣ１５０、及び画像処理部１６０（撮像部）と、４Ｋ動画像データが示す動画像の全領域Ａ０のうちの一部の領域を切り出した切り出し領域Ａｚに基づいて切り出し動画像データ（第２動画像データ）を生成し、生成した切り出し動画像データをメモリカード２００（記録媒体）に記録するコントローラ１８０（制御部）と、を備える。コントローラ１８０は、ユーザの所定の指示に従って切り出し領域Ａｚの位置及び／または大きさを変化させて、メモリカード２００に記録する。
【０１７４】
これにより、生成された４Ｋ動画像データが示す画像の全領域のうちの切り出し領域Ａｚの切り出し動画像データが生成され、生成された切り出し動画像データがメモリカード２００に記録される。その際、ユーザの所定の指示に従って切り出し領域Ａｚの位置や大きさを変化させて、メモリカード２００に記録される。そのため、デジタルカメラ１００をパンニングやチルティングさせたのと同様の画像が得られる。したがって、専用の機材を要することなく、パン画像やチルト画像等の動画像データを取得することができる。
【０１７５】
本開示において、コントローラ１８０は、切り出すべき切り出し領域Ａｚを移動させながら切り出し動画像データを生成する。
【０１７６】
これにより、デジタルカメラ１００に対して実際にはパンニングやチルティング等の振りをさせなくても、パンニングやチルティング等の振りをさせたのと同様の動画像データを取得することができる。
【０１７７】
デジタルカメラ１００を専用の機材等を用いずにパンニングやチルティング等の振りをさせた場合、撮像画像がぶれ、撮像画像の品位が低下しやすい。しかし、本開示のデジタルカメラ１００によれば、デジタルカメラ１００を振る必要がないので、このような問題が抑制される。
【０１７８】
また、例えば夜景等の撮影時には、シャッタスピードが遅くなりやすいため、パン画像やチルト画像を得るためにデジタルカメラをパンニングやチルティングさせると、ぶれたような画像が生成されるが、本開示のデジタルカメラ１００においては、デジタルカメラ１００に対して実際にパンニングやチルティング等の振りを行う必要がないので、ぶれた画像が生成されるのが抑制される。
【０１７９】
本開示において、デジタルカメラ１００は、切り出し領域Ａｚの移動に関する指示を受け付ける操作部材２１０（入力部）をさらに備える。切り出し領域Ａｚの移動指示は、移動の始点、移動の終点、移動方向、移動速度、移動速度の変化態様、及び移動経路のうちの少なくとも一つに関する指示を含む。
【０１８０】
これにより、切り出し領域Ａｚの移動の際の条件を細かく設定することができる。そのため、切り出し動画像に対するユーザの要求に柔軟に対応できる。
【０１８１】
本開示において、デジタルカメラ１００は、切り出し領域Ａｚの移動の一時停止指示を受け付ける操作部材２１０をさらに備える。コントローラ１８０は、操作部材２１０が一時停止指示を受け付けると、切り出し領域Ａｚの移動を停止させ、切り出し動画像データの生成及び記録を継続する。
【０１８２】
これにより、切り出し領域Ａｚの移動の停止を行った場合において、切り出し動画像データの生成及び記録を継続することができる。そのため、ユーザは、切り出し領域Ａｚの画像の記録は継続しつつ、切り出し領域の移動をユーザの意思に基づいて適切なときに停止することができる。
【０１８３】
本開示において、コントローラ１８０は、切り出すべき切り出し領域Ａｚの大きさを変化させながら切り出し動画像データを生成する。
【０１８４】
これにより、デジタルカメラ１００の光学系をズーム操作しなくても、デジタルカメラ１００の光学系をズーム操作したのと同様の動画像データを取得することができる。
【０１８５】
また、例えば夜景等の撮影時には、シャッタスピードが遅くなりやすいため、光学系１１０によりズームを行うと、ズーム中心を中心として放射状にぶれたような画像が生成されるが、本開示のデジタルカメラ１００においては、光学系１１０によるズームを行う必要がないので、ぶれた画像が生成されるのが抑制される。
【０１８６】
本開示において、デジタルカメラ１００は、ズームに関する指示を受け付ける操作部材２１０（入力部）をさらに備える。ズームに関する指示は、切り出し領域Ａｚの拡大または縮小の中心点、切り出し領域Ａｚの拡大または縮小の速度、及び切り出し領域Ａｚの拡大または縮小速度の変化態様のうちの少なくとも一つに関する指示を含む。
【０１８７】
これにより、切り出し領域Ａｚのズームの際の条件を細かく設定することができる。そのため、切り出し動画像に対するユーザの要求に柔軟に対応できる。
【０１８８】
本開示において、デジタルカメラ１００は、切り出し領域Ａｚの拡大または縮小の一時停止指示を受け付ける操作部材２１０（第２入力部）をさらに備える。コントローラ１８０は、操作部材２１０が一時停止指示を受け付けると、切り出し領域Ａｚの拡大または縮小を停止させ、切り出し動画像データの生成及び記録を継続する。
【０１８９】
これにより、切り出し領域Ａｚの拡大または縮小の停止を行った場合において、切り出し動画像データの生成及び記録を継続することができる。そのため、ユーザは、切り出し領域Ａｚの画像の記録は継続しつつ、切り出し領域のＡｚ拡大または縮小をユーザの意思に基づいて適切なときに停止することができる。
【０１９０】
本開示において、コントローラ１８０は、４Ｋ動画像データに基づいて被写体の位置を検出し、検出した位置に基づいて、被写体が切り出し領域Ａｚの中に存在するように、切り出し領域Ａｚを移動させる。
【０１９１】
これにより、デジタルカメラ１００を被写体追尾のために動かさなくても、デジタルカメラ１００を被写体追尾のために動かしたのと同様の画像データを取得することができる。
【０１９２】
デジタルカメラ１００を被写体追尾のために動かした場合、被写体の移動にデジタルカメラ１００の移動が追いつかず、被写体が画像内から消失したり、デジタルカメラ１００の移動の際にカメラがぶれたりし、その結果、撮像された画像の品位が低下しやすい。本開示によれば、このような問題が抑制される。
【０１９３】
本開示において、コントローラ１８０は、４Ｋ動画像データが示す動画像上における被写体の大きさに応じて、切り出し領域Ａｚの大きさを変更する。
【０１９４】
これにより、生成された切り出し動画像（２Ｋ動画像）上における被写体の大きさをほぼ一定の大きさとすることができる。
【０１９５】
本開示において、撮像中の動画像の全領域を表示可能で、表示された被写体の指定を受け付ける表示モニタ２２０（表示部、入力部）をさらに備える。コントローラ１８０は、表示モニタ２２０で指定された位置に基づいて切り出し領域Ａｚを移動させるマニュアル追尾モードと、４Ｋ動画像データに基づいて被写体の位置を検出し、検出した位置に基づいて、被写体が切り出し領域Ａｚの中に存在するように、切り出し領域Ａｚを移動させる自動追尾モードと、を有する。
【０１９６】
これにより、デジタルカメラ１００を被写体追尾のために動かさなくても、デジタルカメラ１００を被写体追尾のために動かしたのと同様の画像データを取得することができる。本開示では、特に、追尾をマニュアルあるいは自動で行うことができる。
【０１９７】
本開示において、コントローラ１８０は、マニュアル追尾モードに設定されているときに、表示モニタ２２０での被写体の指定が無くなった場合、自動追尾モードに設定する。
【０１９８】
これにより、マニュアルで被写体を追尾させた後、連続的に、自動追尾させるような使用方法が可能となる。
【０１９９】
本開示において、コントローラ１８０は、マニュアル追尾モードに設定されているときに、表示モニタ２２０で指定された位置の被写体の特徴量を取得し、自動追尾モードに設定されているときは、マニュアル追尾モードに設定されているときに取得された特徴量を用いて追尾制御を行う。
【０２００】
これにより、自動追尾を、マニュアル追尾モードに設定中に取得された特徴量を用いて精度よく行うことができる。
【０２０１】
本開示において、コントローラ１８０は、被写体として複数の顔を検知した場合、前記切り出し領域Ａｚを、各顔の位置に順次移動させる。
【０２０２】
これにより、デジタルカメラ１００を動かさなくても、動かしたのと同様に、複数の顔の全てを順次拡大した切り出し動画像データを、デジタルカメラ１００を首振りしたり、デジタルカメラ１００の光学系をズーム操作したりすることなく、取得することができる。
【０２０３】
本開示において、コントローラ１８０は、被写体として複数の顔を検知した場合、切り出し領域Ａｚの中に複数の顔の全てを含んだ状態で切り出し領域Ａｚを縮小しながら、切り出し動画像データを生成する。
【０２０４】
これにより、４Ｋ動画像に含まれる全ての顔が含まれ、かつこれらの顔を連続的に拡大した切り出し動画像データを、デジタルカメラ１００を首振りしたり、デジタルカメラ１００の光学系をズーム操作したりすることなく、取得することができる。
【０２０５】
本開示において、コントローラ１８０は、撮像中、光学系１１０の焦点を、切り出し領域Ａｚの中に存在する被写体に自動的に合焦させる。
【０２０６】
これにより、撮像中、切り出し領域Ａｚ中に存在する被写体に自動的に焦点を合わせることができる。従来においては、デジタルカメラのパンニングやチルティング等を行いつつ、焦点を適切に合わせることは、通常、撮影者により行われるが、複数の作業を並行して行う必要があるため、撮影は複数の撮影者により行う必要があった。
【０２０７】
本開示において、コントローラ１８０は、撮像中、切り出し領域Ａｚの中に存在する被写体の輝度に基づいて露光量を自動的に調節する。
【０２０８】
これにより、切り出し領域Ａｚの中に存在する被写体に応じて適切に露光量を調節することができる。
【０２０９】
本開示において、コントローラ１８０は、切り出し領域Ａｚの全体が、４Ｋ動画像データが示す動画像の全領域の範囲内に収まるように、切り出し領域Ａｚの位置の指定を制限する。
【０２１０】
これにより、切り出し領域Ａｚが、４Ｋ動画像データが示す動画像の全領域の範囲内に収まらなくなるような、切り出し領域Ａｚの位置の指定が防止される。
【０２１１】
本開示において、デジタルカメラ１００は、撮像中の４Ｋ動画像の全領域を表示可能な表示モニタ２２０をさらに備える。コントローラ１８０は、撮像中、４Ｋ動画像データが示す４Ｋ動画像に、切り出し領域Ａｚの外縁を示す枠Ｆｒを重畳して表示させる。
【０２１２】
これにより、撮像中の４Ｋ動画像の全領域Ａ０の中における切り出し領域Ａｚの位置や範囲を、ユーザが容易に認識することができる。
【０２１３】
本開示において、４Ｋ動画像データは、水平画素数３８４０、垂直画素数２１６０のフレーム画像データで構成される。切り出し動画像データは、水平画素数１９２０、垂直画素数１０８０のフレーム画像データで構成される。
【０２１４】
これにより、水平画素数３８４０、垂直画素数２１６０の動画像、いわゆる４Ｋ動画像を撮像可能なデジタルカメラ１００において、４Ｋ動画像の中の切り出し領域Ａｚを切り出した水平画素数１９２０、垂直画素数１０８０の動画像、いわゆる２Ｋ動画像を撮像することができる。
【０２１５】
（他の実施形態）
実施の形態１では、記録媒体がメモリカード２００である場合について説明したが、記録媒体はこれに限らない。記録媒体は、デジタルカメラ１００内の内蔵メモリ２４０であってもよい。
【０２１６】
実施の形態１では、画素数４０００×２０００前後の４Ｋ動画像から画素数２０００×１０００前後の２Ｋ動画像を切出すものとしたが、本開示はこれに限定されるものではない。画素数８０００×４０００の８Ｋ動画像をベースに４Ｋ動画像や２Ｋ動画像を切出すなどしてもよい。すなわち、切り出される前の動画像の画素数に対して切り出される動画像の画素数が小さいものであればよい。
【０２１７】
実施の形態１に示した切り出し動画において、切り出し枠の効果を指定するだけでなく、フォーカスポイントの移動等の効果も指定するようにしてもよい。例えば、切り出し枠はパンニングで水平方向に移動する一方、フォーカスポイントは移動せず特定の被写体にフォーカスを合わせ続けるようにしてもよい。このようにすることで、映像表現の幅が広がり、よりユーザが所望する動画を記録することができる。
【０２１８】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【０２１９】
本発明はデジタルカメラ以外にも適用可能である。例えばデジタルムービーカメラや、カメラ付携帯電話等、画像を撮像する機器であれば適用することができる。
【符号の説明】
【０２２０】
１００ デジタルカメラ
１１０ 光学系
１２０ レンズ駆動部
１３０ シャッタ
１４０ ＣＣＤ
１５０ Ａ／Ｄコンバータ
１６０ 画像処理部
１７０ バッファ
１８０ コントローラ
１９０ カードスロット
２００ メモリカード
２１０ 操作部材
２１１  レリーズ釦
２１２  ズームレバー
２１３  中央釦
２１４  十字釦
２２０ 表示モニタ
２４０ 内蔵メモリ
３００ 絞り部
【図１】
2016028539.tif 000003
【図２】
2016028539.tif 000004
【図３】
2016028539.tif 000005
【図４Ａ】
2016028539.tif 000006
【図４Ｂ】
2016028539.tif 000007
【図５Ａ】
2016028539.tif 000008
【図６】
2016028539.tif 000009
【図７】
2016028539.tif 000010
【図８】
2016028539.tif 000011
【図９】
2016028539.tif 000012
【図１０】
2016028539.tif 000013
【図１１】
2016028539.tif 000014
【図１２】
2016028539.tif 000015
【図１３】
2016028539.tif 000016
【図１４】
2016028539.tif 000017
【図１５】
2016028539.tif 000018
【図１６】
2016028539.tif 000019
【図１７】
2016028539.tif 000020
【図１８】
2016028539.tif 000021
【図５Ｂ】
2016028539.tif 000022